(57)【特許請求の範囲】
【請求項１】
原稿画像の読取部と、画像を記録紙にプリントする記録部と、操作内容を入力する操作部と、メッセージの表示部と、消耗品の残量を検出する検出部と、前記各部を制御すると共に消耗品の交換要否を判定する制御部とを備え、前記制御部が、消耗品の交換が必要と判定されたときに、消耗品発注操作を有効とし、消耗品の交換が必要と判定されていないときに、消耗品発注操作を無効とすることを特徴とする画像読取記録装置。
【請求項２】
前記消耗品発注操作が重複してなされたときに、前記制御部が、発注済みであることを報知することを特徴とする請求項１に記載の画像読取記録装置。
【請求項３】
前記消耗品発注操作が重複してなされたとき、前記制御部が、先に発注した内容情報を報知することを特徴とする、請求項１または請求項２に記載の画像読取記録装置。
【発明の詳細な説明】
【０００１】
【発明の属する技術分野】
本発明は、トナ−や感光ドラム等の消耗品の発注処理を円滑に行なう画像読取記録装置に関する。
【０００２】
【従来の技術】
複写機や複写機能を併せ持つファクシミリ装置には、一般に、オ−トドキュメントフィ−ダ（ＡＤＦ）やフラットベッド型の読み取り用原稿載置台が備え付けられている。ＡＤＦは、多数枚の被読取原稿を光学読取系に連続自動給送して各原稿面から画像を連続的に読み取るためのものである。
【０００３】
また、フラットベッド型の読み取り用原稿載置台は、透明な原稿支持板としてのカバ−ガラスを有しており、そのカバ−ガラス上の所定位置に利用者が被読取原稿を一枚づつ載置し、それを光学読取系で読み取らせている。このようなフラットベッド型の原稿載置台を用いる読み取り方式は、一般にブック読み取りといわれている。上記のような原稿支持板としてのカバ−ガラスは、光学読取系と共にフラットベッドスキャナ（ＦＢＳ）を構成している。
【０００４】
このようなファクシミリ装置等の画像読取記録装置においては、画像の記録部にトナ−や感光ドラムのような消耗品があり、また記録部のカセットには記録紙が収納されている。これらの消耗品が規定量以下に減少した場合には、表示部にその旨が表示される。
【０００５】
表示部に消耗品の規定量以下の減少が表示されると、ユ−ザはこれらの消耗品の発注先に電話をしたり、店舗で購入する等の対応をとっていた。しかしながら、ユ−ザのこのような対応は煩雑で人手もかかることから、操作部の入力キ−を操作して発注先に消耗品を注文できる画像読取記録装置が開発されている。
【０００６】
【発明が解決しようとする課題】
このように、操作部の入力キ−を操作して発注先に消耗品を注文できる画像読取記録装置においては、キ−操作を間違えたり、同じ消耗品を重複して発注することがあり、消耗品の発注処理が円滑に行なえないという問題があった。
【０００７】
本発明は、かかる現状に鑑みてなされたものであり、トナ−や感光ドラム等の消耗品の発注処理を円滑に行なう画像読取記録装置の提供を目的とする。
【０００８】
【課題を解決するための手段】
上記目的は、請求項１に係る発明において、画像読取装置を、原稿画像の読取部と、画像を記録紙にプリントする記録部と、操作内容を入力する操作部と、メッセージの表示部と、消耗品の残量を検出する検出部と、前記各部を制御すると共に消耗品の交換要否を判定する制御部とを備え、前記制御部が、消耗品の交換が必要と判定されたときに、消耗品発注操作を有効とし、消耗品の交換が必要と判定されていないときに、消耗品発注操作を無効とする構成とすることによって達成される。
【０００９】
また、請求項２に係る発明は、請求項１に記載の画像読取記録装置において、前記消耗品発注操作が重複してなされたときに、前記制御部が、発注済みであることを報知することを特徴としている。
【００１０】
また、請求項３に係る発明は、請求項１または請求項２に記載の画像読取記録装置において、前記消耗品発注操作が重複してなされたとき、前記制御部が、先に発注した内容情報を報知することを特徴としている。
【００１１】
請求項１に係る発明によれば、消耗品の残量を検出する検出部と、消耗品の交換要否を判定する制御部とを備え、制御部が、消耗品の交換が必要と判定されたときに、消耗品発注操作を有効とし、消耗品の交換が必要と判定されていないときに、消耗品発注操作を無効としている。このため、不要な消耗品を誤って発注することがなく、消耗品発注処理を円滑に行える。
【００１２】
請求項２に係る発明によれば、消耗品発注操作が重複してなされたときに、発注済みであることを報知している。このため、ユ−ザは消耗品を重複して発注する無用の業務を避けることができ、業務を効率良く遂行できる。
【００１３】
請求項３に係る発明によれば、消耗品発注操作が重複してなされたときに、先に発注した内容情報を報知している。このため、ユ−ザは先に発注した消耗品の内容情報を確認することができる。
【００１４】
【発明の実施の形態】
以下、本発明の実施の形態について図面を参照して説明する。図３は、本発明が適用される画像読取記録装置の画像読取部を示す概略の側面図である。この画像読取記録装置１は、コピ−・ファクシミリ複合機に具体化している。図３において、画像読取記録装置１は、装置ケ−ス２、押え蓋３、原稿給送部４とを備えている。
【００１５】
装置ケ−ス２は光学読取系（ＯＰ）を内臓する。光学読取系の詳細については図示を省略しているが、ステップモ−タで駆動される移動フレ−ムに光源となるランプ及び反射ミラ−を取付け、集光レンズと画像読取り用の撮像素子（ＣＣＤ）を装置ケ−ス２内に固設した構成としている。
【００１６】
装置ケ−ス２の上面には、被読取り原稿を載置するための支持板として透明なカバ−ガラス８が取り付けられている。カバ−ガラス８は、前記光学読取系の移動フレ−ムに取り付けられた光源となるランプ及び反射ミラ−と共にＦＢＳを構成する。光源となるランプ９は、水平方向（矢視Ｓ方向）に往復動する。
【００１７】
押え蓋３は、基板５、給紙トレイ６、排出トレイ７とを備え、装置ケ−ス２の上面端部にヒンジ機構により開閉可能に取付けられている。すなわち、押え蓋３はカバ−ガラス８に対して開閉動作する開閉板として作用する。
【００１８】
原稿給送部４はＡＤＦの主要な構成部分であり、給紙トレイ６の読取原稿を取り込んで反転させる。続いて、読取原稿は原稿給送部４内を搬送されて、透光板上を通過する際に読取原稿の画像が光学読取系で読み込まれ、排出トレイ７に排出される。
【００１９】
次に、ＡＤＦの主要な構成部分である原稿給送部４について説明する。原稿給送部４の入口には、原稿幅検出用センサ４ｌが所定のピッチで設置されている。原稿給送部４内には、給紙トレイ６上の最上部の読取原稿を取り込むための給送ロ−ラ４ａと分離ロ−ラ４ｂが設けられている。また、給送ロ−ラ４ａの側方には給紙補助ロ−ラ４ｃが設けられており、ベルト４ｄにより給送ロ−ラ４ａからの駆動力が伝達される。
【００２０】
給紙補助ロ−ラ４ｃは、給送ロ−ラ４ａの回転に伴ってベルト４ｄから駆動力が伝達されて給送ロ−ラ４ａと同方向に回転すると共に、下降して給紙トレイ６上の最上部にある読取原稿の上面に当接して、給送ロ−ラ４ａによる紙送りを補助する。給送ロ−ラ４ａと分離ロ−ラ４ｂの下流側には搬送ロ−ラ４ｅと一対の従動ロ−ラ４ｆ、４ｇが設けられている。
【００２１】
ＡＤＦモ−ドにおいては、給送ロ−ラ４ａと分離ロ−ラ４ｂにより原稿給送部４内に取り込まれた読取原稿は、搬送ロ−ラ４ｅと一対の従動ロ−ラ４ｆ、４ｇ間に挟持されつつ搬送されて反転させられた後に、透光板４ｋ上を通過する。この透光板４ｋを通して読取原稿の画像が光学読取系で読み取られる。
【００２２】
透光板４ｋ上を通過した読取原稿は、一対の排出ロ−ラ４ｈ、４ｉによって搬送され、排出口４ｊより排出トレイ７上に排出される。また、給紙トレイ６の先端部には、原稿がセットされたことを検出する原稿センサ４ｌが設けられている。この原稿センサ４ｌは、例えば光電センサを用いて構成する。
【００２３】
図４は本発明の画像読取記録装置の制御装置を示す概略のブロック図である。次にこのブロック図について説明する。図５において、画像読取記録装置の制御装置１１は、各種信号やデ−タを処理するための制御部１２を有している。この制御部１２は、例えばＣＰＵ（中央演算処理装置）により構成されている。
【００２４】
制御部１２には、回線制御部（ＮＣＵ）１４、モデム１５、画像メモリ１６、ＲＡＭ１７、ＲＯＭ１８、表示部１９、操作部２０、読取部２１、記録部２２、符号化・復号部２３が接続されている。制御部１２は、後述するように消耗品交換の要否を判定し、消耗品の交換が必要と判定すると、操作部からの発注キ−操作を有効にする。
【００２５】
回線制御部１４は外部回線１３と接続され、相手先のダイヤル番号に対応したダイヤルパルスの送出、及び着信を検出する。モデム１５は相手先のファクシミリ装置等の通信端末装置との間で送受信されるデ−タを変調・復調し、回線制御部１４と接続する。画像メモリ１６は、読み取り画像の画デ−タ、受信した画デ−タを格納する。ＲＡＭに１７は予約送信またはメモリ受信における管理デ−タが格納される。ＲＯＭ１８には画像読取記録装置の各種動作に必要なデ−タやプログラムが格納される。
【００２６】
陰極線管（ＣＲＴ）や液晶表示器（ＬＣＤ）を用いた表示部１９には、画像読取記録装置の動作に必要な各種メッセ−ジが表示される。また、表示部１９には、消耗品が重複して発注されるとすでに当該消耗品は発注済みである旨のメッセ−ジが表示される。キ−ボ−ドやマウス等からなる操作部２０は、画像読取記録装置の各種動作、停止を指示する。すなわち、画像読取記録装置の操作内容は、操作部２０からキ−ボ−ドやマウス等で入力されている。また、操作部２０には消耗品の発注キ−が設けられている。読取部２１は原稿の画像を読み取る。
【００２７】
記録部２２は画像を記録紙にプリントする。記録紙はカセットに収納されており、このカセットに設けたセンサにより記録紙がなくなったことを検出すると、表示部にその旨を表示する。画像のプリントは、記録紙の両面に行なう場合と記録紙の片面に行なう場合がある。また、記録部２２にはトナ−の残量を検知するセンサが設けられている。
【００２８】
図５は、記録部の概略構成の一例を示す説明図である。図５において、カセットから繰り出された記録紙は搬送路３９上を矢視Ａ方向から記録部に供給され、矢視Ｂ方向に排出される。感光ドラム３１には、図示を省略している露光部の作用により静電潜像が形成されている。
【００２９】
トナ−収納容器３５から供給ロ−ラ３４を介して現像ロ−ラ３３にトナ−を供給し、現像ロ−ラ３３に所定の厚みの薄層としてトナ−を付着させる。この現像ロ−ラ３３に付着されたトナ−を、感光ドラム３１に形成されている静電潜像に向けて移転させ、トナ−画像を形成させる。
【００３０】
記録紙が転写ロ−ラ３２の位置まで搬送されてくると、転写ロ−ラ３２を動作させて、感光ドラム３１に形成されたトナ−画像を記録紙に転写する。次に、トナ−画像が転写された記録紙にヒ−タ３７、プレスロ−ラ３８からなる定着器で定着処理がなされ、画像がプリントされた記録紙が排出される。
【００３１】
トナ−収納容器３５には、透過光によりトナ−量を検出するセンサ３６が設けられており、センサ３６の検出信号は制御部１２に入力される。また、感光ドラム３１の回転時間は制御部１２で計数して積算し、積算値をＲＡＭ１７に格納している。
【００３２】
図４において、符号化・復号部２３は、読み取り画像の画デ−タを所定の符号化方式で符号化し、また、受信した画デ−タを復号化する。なお、制御装置１１に時計部を設けて現在時刻をカウントし、時計部の出力を用いて受信時刻を通信管理記録に保存することもできる。
【００３３】
図２は、読取部の消耗品が規定量以下に減少したときの処理手順を示すフロ−チャ−トである。次に、このフロ−チャ−トについて説明する。
【００３４】
（１）ステップＳ１で処理プログラムをスタ−トし、ステップＳ２で記録紙へプリント処理を行なう。なお、ステップＳ２の処理は省略することもできる。次にステップＳ３の処理でドラム（感光ドラム）寿命（回転時間の限界）は近いかどうかを判定する。この判定結果がＮＯ（以下、Ｎと略記する）であれば、ステップＳ４の処理でトナ−残量が規定量以下かどうかを判定する。
【００３５】
（２）ドラム寿命が近いことが検出され、前記ステップＳ３の判定結果がＹＥＳ（以下、Ｙと略記する）になるときには、ステップＳ５の処理でドラム寿命が近い旨のメッセ−ジを表示部に表示する。次にステップＳ９の処理に移行して発注キ−有効ステ−タスオンにする。
【００３６】
（３）トナ−残量が規定量以下であることが検出され、前記ステップＳ４の判定結果がＹになると、ステップＳ８の処理でトナ−残量が規定量以下である旨のメッセ−ジを表示部に表示する。次に、ステップＳ９の処理に移行して発注キ−有効ステ−タスオンにする。
【００３７】
（４）ステップＳ４の判定結果がＮであれば、次にステップＳ６の処理で、発注キ−有効オフとする。すなわち、ステップＳ３の処理でドラム寿命にはまだ達しておらず、ステップＳ４の処理でトナ−残量が規定量を超えているものと判定されている。このような場合には、前記ステップＳ６の処理でこれらの消耗品については発注キ−有効オフとして、発注キ−を操作しても操作を無効として不要な消耗品の発注を防止している。
【００３８】
（５）続いてステップＳ７の処理で発注済みステ−タスオフにして、ステップＳ１０の処理で処理プログラムを終了する。前記ステップＳ９で発注キ−有効ステ−タスオンにした後も、ステップＳ１０の処理で処理プログラムを終了する。このように、ドラム寿命が近いときと、トナ−残量が規定量以下であるときにはその旨のメッセ−ジを表示しているので、ユ−ザはこれらの消耗品を発注する時期に至っていることがわかり、このような場合にのみステップＳ９で発注キ−有効ステ−タスオンにしているので、消耗品の発注を誤りなく円滑に行なえる。
【００３９】
図１は、図２の処理と関連する消耗品の発注操作の処理手順を示すフロ−チャ−トである。次に、このフロ−チャ−トについて説明する。
【００４０】
（１）ステップＳ１１で消耗品の発注操作のプログラムを開始し、ステップＳ１２の処理で発注キ−が操作されたかどうかを判定する。この判定結果がＮであれば、ステップＳ１４の処理で、キ−操作に対応する発注以外のその他の処理を行い、ステップＳ２１の処理で処理プログラムを終了する。
【００４１】
（２）前記ステップＳ１２の判定結果がＹであれば、次にステップＳ１３の処理に移行して、発注キ−有効かどうかを判定する。この判定結果がＮであれば、前記図１のステップＳ６の処理で発注キ−有効オフとされているので、ステップＳ２１の処理で処理プログラムを終了する。
【００４２】
（３）前記ステップＳ１３の判定結果がＹであれば、次にステップＳ１５の処理に移行して発注済みかどうかを判定する。この判定結果がＹであれば、ステップＳ１７の処理で、表示部に発注済みの旨のメッセ−ジを表示し、ステップＳ２１の処理で処理プログラムを終了する。なお、ステップＳ１７の処理では、表示部に発注済みの旨のメッセ−ジを表示しているが、先に発注した消耗品の内容情報を表示して、ユ−ザが確認できるようにすることもできる。
【００４３】
（４）ステップＳ１５の判定結果がＮであれば、次にステップＳ１６の処理に移行してドラム寿命が近いかどうかを判定する。この判定結果がＮであれば、ステップＳ１３の処理で発注キ−有効オン、ステップＳ１５の処理で未発注、ステップＳ１６の処理でドラム寿命未到達、の各条件が揃うので、ステップＳ２０の処理でトナ−発注書を業者にファクス送信する。
【００４４】
（５）前記ステップＳ１６の判定結果がＹであれば、次にステップＳ１８の処理でドラム発注書を業者にファクス送信する。ステップＳ１６と前記ステップＳ２０の処理後にステップＳ１９の処理で、発注済みステ−タスをオンにして、ステップＳ２１の処理で処理プログラムを終了する。
【００４５】
前記発注キ−は、操作パネルの操作部に専用のキ−を独立して設置することができる。また、他の機能キ−に発注キ−を割り付けておき、処理プログラムの切り替えで発注キ−としての機能をもたせる設定とすることもできる。
【００４６】
図２においては、ユ−ザによる誤発注を防止するために、ドラム交換やトナ−補給の時期が近づいて、これらの処理の準備が必要であることを報知する「交換（補給）準備」のメッセ−ジが表示部に表示されたときに、発注キ−の操作を有効にする例について説明した。本発明においてはこの他に、ドラム交換やトナ−補給を行なわないと、通信端末装置が動作しなくなる「交換（補給）」のメッセ−ジが表示部に表示されたときに、発注キ−の操作を有効にする構成とすることもできる。
【００４７】
また、ユ−ザが消耗品発注キ−を操作した際に、ユ−ザの当該操作が間違いないかどうかを確認するメッセ−ジを表示部に表示させる構成とすることも可能である。更に、ユ−ザが消耗品発注キ−を操作した際に、どのような消耗品を発注したのか、消耗品の種類を表示部に表示させる構成とすることもできる。これらの表示を行なうことにより、ユ−ザの操作ミスを確実に防止することができる。
【００４８】
なお、上記の例では消耗品発注操作が重複してなされたときに、発注済みであることのメッセ−ジを表示部に表示し、また、消耗品発注操作が重複してなされたときに、先に発注した内容情報のメッセ−ジを表示部に表示している。本発明においては、これらのメッセ−ジの表示に代えて、例えば音声によりメッセ−ジを報知する構成とすることもできる。
【００４９】
【発明の効果】
以上説明したように、請求項１に係る発明によれば、消耗品の残量を検出する検出部と、消耗品の交換要否を判定する制御部とを備え、消耗品の交換が必要と判定されていないときに、消耗品発注操作を無効としている。このため、不要な消耗品を誤って発注することがなく、消耗品発注処理を円滑に行える。
【００５０】
請求項２に係る発明によれば、消耗品発注操作が重複してなされたときに、発注済みであることを報知している。このため、ユ−ザは消耗品を重複して発注する無用の業務を避けることができ、業務を効率良く遂行できる。
【００５１】
請求項３に係る発明によれば、消耗品発注操作が重複してなされたときに、先に発注した内容情報を報知している。このため、ユ−ザは先に発注した消耗品の内容情報を確認することができる。
【図面の簡単な説明】
【図１】本発明の実施の形態に係る画像読取記録装置において、画像消去の処理手順を示すフロ−チャ−トである。
【図２】本発明の処理手順を示すフロ−チャ−トである。
【図３】画像読取記録装置の読み取り部の側面図である。
【図４】画像読取記録装置の制御部のブロック図である。
【図５】記録部の例を示す説明図である。
【符号の説明】
１    画像読取記録装置
３    押え蓋
８    カバ−ガラス
１１    制御装置
１２    中央演算処理装置（ＣＰＵ）
１７    ＲＡＭ
１９    表示部
２０    操作部
２１    読取部
２２    記録部
ＯＰ    光学読取系
３１    感光ドラム
３５    トナ−収納容器
３６    センサ
【図１】
0003573082.tif 000002
【図２】
0003573082.tif 000003
【図３】
0003573082.tif 000004
【図４】
0003573082.tif 000005
【図５】
0003573082.tif 000006